【事件の表示】
　平成１０年特許願第１０６０１９号「単錘駆動型繊維機械」拒絶査定に対する審判事件［平成１１年１０月２６日出願公開、特開平１１−２９３５２９］について、次のとおり審決する。
【結　論】
　本件審判の請求は、成り立たない。
【理　由】
１．手続の経緯
　本願は、平成１０年４月１６日の出願であって、平成１２年１２月７日付で拒絶査定がなされ、これに対し、平成１３年１月１１日に拒絶査定に対する審判請求がなされるとともに、同年２月７日付で手続補正がなされたものである。
　
２．平成１３年２月７日付の手続補正についての補正却下の決定
［補正却下の決定の結論］
　平成１３年２月７日付の手続補正を却下する。
［理由］
　この補正には、特許請求の範囲の請求項１の記載を「回転数制御装置は、前記フィードバック制御における指令値の変化量に基づいて、各回転部材毎個別にトラブルを判定するトラブルを判定手段を有する」とする補正が含まれている。
  しかしながら、当初明細書には、トラブル判定に関して「回転数制御装置は、検出した回転速度に基づいて、各回転部材毎個別にトラブルを判定するトラブル判定手段を有する」と記載されているのみで、トラブル判定を指令値の変化量に基づいて行うことは記載されていない。
  したがって、この補正は、当初明細書に記載した事項の範囲内のものではない。
［むすび］
　以上のとおり、この補正は、特許法第１７条の２第３項の規定を満たしておらず、同法第１５９条第１項で準用する同法第５３条第１項の規定により却下されるべきものである。
　
３．本願発明について
　平成１３年２月７日付の手続補正は上記のとおり却下されたので、平成１２年９月１３日付け手続き補正書により補正された明細書および図面の記載からみて、その特許請求の範囲の請求項１ないし請求項３に記載された事項により特定されるとおりのものと認められるところ、請求項１に記載された発明（以下「本願発明」という）は、次のとおりである。
　「糸条に撚りを付与するための回転部材毎に駆動モータを設けた単錘駆動型繊維機械において、前記駆動モータとして、ＤＣブラシレスモータを使用し、各駆動モータの回転速度を検出し、その回転速度を目標速度に維持すべく各駆動モータについて個別にフィードバック制御を行う回転数制御装置を備え、前記回転数制御装置は、検出した回転速度に基づいて、各回転部材毎個別にトラブルを判定するトラブル判定手段を有することを特徴とする単錘駆動型繊維機械。」
（１）引例
  これに対して、原査定の拒絶の理由に引用された、本願の出願日前の平成６年６月７日に頒布された特開平６−１５８４５９号公報（以下「引例」という。）には、次の事項が記載されている。
・記載１（５頁右欄５ないし７行目）
  「この紡績部はスピンドル３を備えており、このスピンドルは個別モータ５によって駆動することができる。」
・記載２（５頁右欄９ないし１４行目）
  「スピンドル３の下端部では、スピンドルベースプレート１１に磁石１３が取り付けられている。磁石１３の高さには、磁気受信器１５が配置されており、この磁気受信器はパルス発生器１７に接続されている。磁石１３と磁気受信器１５とパルス発生器１７とは、信号値発生器１９を形成しており、」
・記載３（５頁右欄２８ないし３１行目）
　「標準運転時では、スイッチ７が閉じられている。個別モータ５は、モータ制御装置９を介して規定の回転数プログラムに従い給電されて、この回転数プログラムに基づきスピンドル３を駆動する。」
・記載４（５頁右欄３５ないし４２行目）
　「磁石１３が磁気受信器１５の傍らを通過すると、この磁気受信器によって磁気放射線が受信され、パルス発生器１７によって電気的なパルスが形成される。信号値発生器１９によって、単位時間当たりのパルス数から求められたスピンドル回転数の実際値がコンパレータ２１の入力側Ｉに供給されて、入力側ＩＩに印加される、プログラム制御装置２３によって供給された目下の目標値と比較される」
・記載５（５頁右欄４６行目ないし６頁左欄１０行目）
  「目下の実際値が少なくとも閾値Ｓoだけ目下の目標値を上回ると、閾値スイッチ２５がアラーム装置２７に信号を供給する。これによって、このアラーム装置はスイッチ７を開き、これによって個別モータ５とスピンドル３の駆動を中断する。それと同時に、表示アラーム２９は、たとえば糸切れに基づくスピンドル回転速度の過大を表示する。測定されたスピンドル回転数の実際値が、プログラム制御装置２３によって規定された目下の目標値を少なくとも閾値Ｓuだけ下回ると、閾値スイッチ２５がアラーム装置２７に信号を送出し、これによってスイッチ７が開かれ、ひいては個別モータ５とスピンドル３との駆動が中断される。それと同時に、表示ランプ３１が、たとえばスピンドル軸受けにおける機械的なトラブルに基づくスピンドル回転速度の過小を表示する。」
　
（２）対比
　記載１の「紡績部」は、本願発明の「糸条に撚りを付与する」箇所に相当し、同様に、「スピンドル」は「回転部材」に相当し、且つ、記載１が単錘駆動型繊維機械に関する記載であることが明らかであるので、
　記載１には、本願発明の「糸条に撚りを付与するための回転部材毎に駆動モータを設けた単錘駆動型繊維機械」が開示されている。
　記載２の「信号値発生器」が、記載４の「スピンドル回転数の実際値」を検出しており、「スピンドル回転数」は「駆動モータの回転速度」も意味するので、記載２、４には、本願発明の「各駆動モータの回転速度を検出し」ているとの構成が開示されている。
　記載３には、モータ制御装置が個別のモータに接続され、回転数プログラムに基づいて、スピンドルの回転数を制御しており、本願発明の「各駆動モータの回転速度を維持すべく、各駆動モータについて制御を行う回転数制御装置」の構成が開示されている。
　前述した如く、記載４の「スピンドル回転数の実際値」は、本願発明の「検出した回転速度」をも意味し、記載４の「目下の目標値と比較され」と、記載５の「アラーム装置２７に信号を供給する」とは、本願発明の「トラブルを判定する」に相当するので、
　記載４、５には、本願発明の「検出した回転速度に基づいて、各回転部材毎個別にトラブルを判定するトラブル判定手段」が開示されている。
  以上のとおりであるから、引例には、本願発明の「糸条に撚りを付与するための回転部材毎に駆動モータを設けた単錘駆動型繊維機械において、各駆動モータの回転速度を維持すべく、各駆動モータについて制御を行う回転数制御装置を備え、各駆動モータの回転速度を検出し、検出した回転速度に基づいて、各回転部材毎個別にトラブルを判定するトラブル判定手段を有することを特徴とする単錘駆動型繊維機械。」が開示されている。
　そこで、本願発明と引例に記載された事項から把握される発明（以下、「引例発明」という。）とを対比すると、両者は、前述した引例記載の単錘駆動型繊維機械である点で一致し、次の点で相違している。
　
［相違点１］
　駆動モータの型式に関して、本願発明の駆動モータが、「ＤＣブラシレスモータ」であるのに対し、引例発明のモータが、「三相交流同期電動機」（３頁左欄４６行目参照。）である点。
［相違点２］
　モータの回転手段に関して、本願発明が、駆動モータの回転をフィードバック制御している、即ち、回転数制御装置が各駆動モータの「回転速度を目標速度に維持すべく各駆動モータについて、個別にフィードバック制御を行っている」のに対し、引例発明が規定の回転数プログラムに従い駆動されているだけで、この駆動がフィードバック制御されているか、否か明らかでない点。
［相違点３］
　トラブル判定（アラーム装置に信号を供給する）手段の設置個所に関して、本願発明のトラブル判定手段が駆動モータ回転数制御装置に設置され、つまり、駆動モータ回転数制御装置が駆動モータ回転数制御と、トラブル判定とを兼用している、即ち、「回転数制御装置は、検出した回転速度に基づいて、トラブルを判定するトラブル判定手段を有する」のに対し、引例発明のトラブル判定手段が、駆動モータの回転数制御装置とは別個に設置されている点。
（３）判断
［相違点１］について
　単錘駆動型繊維機械において、スピンドルを駆動するモータとして、ＤＣブラシレスモータを用いることは、周知の技術手段である。
　周知例が所望なら、国際公開ＷＯ９７／０５３１０パンフレット、米国特許５１６１３６１号明細書を参照されたい。
　そして、この周知の技術手段を本願発明が採用した点に格別なものはない。
［相違点２］について
　単錘駆動型繊維機械において、スピンドル駆動モータの回転をフィードバック制御することは、周知の技術手段である。周知例が所望なら、特開平５−２５７１６号公報を参照されたい。そして、この周知の技術手段を本願発明が採用した点に格別なものはない。
  また、この周知の技術手段を採用する際、各駆動モータを個別に制御するようにした点は、当業者が容易に想到しうる事項である。
［相違点３］について
　一般に、回転数を検知してトラブルが発生しているかを判定することは広く行われているので、本願発明が、駆動モータ回転数制御装置にトラブル判定手段を設けたことに格別の困難があったとは認められない。
　そして、本願発明の作用効果も、引例及び各周知の技術手段から当業者が予測できる範囲のものである。
（４）むすび
　以上のとおり、本願発明は、引例に記載された発明及び、各周知の技術手段に基づいて、当業者が容易に発明をすることができたものであるから、特許法第２９条第２項の規定により特許を受けることができない。
　よって、結論のとおり審決する。